(57)【要約】      （修正有）【課題】ゴルフクラブのおもり構造を提供する。【解決手段】ゴルフクラブのおもり構造はヘッド１０およびおもり部材３０を備える。ヘッド１０は打球面１１、本体、本体の根部に連結されるホーゼルおよび本体の下端をヘッドの内部へ凹ませて形成した格納溝１５を有する。おもり部材３０は格納溝１５に配置され、格納溝１５との間に第一溶接材料２０を有する。【選択図】図２
0003217472.tif 000002
【実用新案登録請求の範囲】
【請求項１】
ヘッドおよびおもり部材を備え、
前記ヘッドは、打球面、頂部、底部、前記頂部の根部に連結されるホーゼル、前記底部に形成された格納溝、前記格納溝の底部に形成された凹状溝および前記凹状溝内に分布する第一溶接材料を有し、
前記おもり部材は、前記格納溝内に配置され、比重が前記ヘッドの前記底部の材料の比重より大きいことを特徴とする、
ゴルフクラブのおもり構造。
【請求項２】
前記格納溝は前記ヘッドの外側を内側へ凹ませて形成したことを特徴とする請求項１に記載のゴルフクラブのおもり構造。
【請求項３】
前記格納溝は前記ヘッドの前記底部の内側に形成されることを特徴とする請求項１に記載のゴルフクラブのおもり構造。
【請求項４】
前記凹状溝は環状に配置されることを特徴とする請求項２に記載のゴルフクラブのおもり構造。
【請求項５】
前記格納溝の開口部と前記おもり部材との間には第二溶接材料が配置されることを特徴とする請求項２に記載のゴルフクラブのおもり構造。
【請求項６】
ヘッドおよびおもり部材を備え、
前記ヘッドは、打球面、本体、前記本体の根部に連結されるホーゼル、前記本体の下端に形成された格納溝、前記格納溝の底部に形成された凹状溝および前記凹状溝内に分布する第一溶接材料を有し、
前記おもり部材は、前記格納溝内に配置され、比重が前記ヘッドの前記底部の材料の比重より大きいことを特徴とする、
ゴルフクラブのおもり構造。
【請求項７】
前記格納溝は前記ヘッドの外側を内側へ凹ませて形成したことを特徴とする請求項６に記載のゴルフクラブのおもり構造。
【請求項８】
前記格納溝は前記ヘッドの前記本体の前記下端の内側に形成されることを特徴とする請求項６に記載のゴルフクラブのおもり構造。
【請求項９】
前記凹状溝は環状に配置されることを特徴とする請求項７に記載のゴルフクラブのおもり構造。
【請求項１０】
前記格納溝の開口部と前記おもり部材との間には第二溶接材料が配置されることを特徴とする請求項９に記載のゴルフクラブのおもり構造。
【考案の詳細な説明】
【技術分野】
【０００１】
本考案はゴルフ用品に関し、詳しくはゴルフクラブのおもり構造に関するものである。
【背景技術】
【０００２】
ゴルフクラブを使用する際、ゴルフクラブに対する要求は使用者の体形によって異なる。特にゴルフクラブのおもりは打球方向および打撃力に影響を与えることが重要なポイントである。
【考案の概要】
【考案が解決しようとする課題】
【０００３】
本考案は固定方法が簡単かつ頑丈であるゴルフクラブのおもり構造を提供することを主な目的とする。
【課題を解決するための手段】
【０００４】
上述した課題を解決するため、ゴルフクラブのおもり構造はヘッドおよびおもり部材を備える。ヘッドは打球面、頂部、底部、頂部の根部に連結されるホーゼルおよび底部をヘッドの内部へ凹ませて形成した格納溝を有する。おもり部材は格納溝内に配置され、格納溝との間に第一溶接材料を有する。
【図面の簡単な説明】
【０００５】
【図１】本考案の第１実施形態を示す斜視図である。
【図２】本考案の第１実施形態においておもり部材とヘッドとが結合する前の状態を示す断面図である。
【図３】図２中の格納溝を示す拡大図の一部分である。
【図４】本考案の第１実施形態においておもり部材とヘッドとが結合した状態を示す断面図である。
【図５】本考案の第２実施形態を示す斜視図である。
【図６】本考案の第２実施形態においておもり部材とヘッドとが結合する前の状態を示す断面図である。
【図７】本考案の第２実施形態においておもり部材とヘッドとが結合した状態を示す断面図である。
【図８】本考案の第３実施形態においておもり部材とヘッドとが結合する前の状態を示す断面図である。
【図９】本考案の第３実施形態においておもり部材とヘッドとが結合した状態を示す断面図である。
【考案を実施するための形態】
【０００６】
（第１実施形態）
図１から図４に示すように、本考案の第１実施形態によるゴルフクラブのおもり構造は木製クラブに適用され、ヘッド１０およびおもり部材３０を備える。
【０００７】
ヘッド１０は、打球面１１、頂部１２、底部１３、頂部１２の根部に連結されるホーゼル１４、底部１３をヘッド１０の内部へ凹ませて形成した格納溝１５、格納溝１５の底部に形成された凹状溝１７および凹状溝１７内に分布する第一溶接材料２０を有する。
【０００８】
凹状溝１７は、格納溝１５の両側に配置されるか、格納溝１５の底部に環状に配置される。  
【０００９】
おもり部材３０は、格納溝１５内に配置され、比重がヘッド１０の底部１３の材料の比重より大きい。おもり部材３０とヘッド１０の結合強度を増大させるために、格納溝１５の開口部とおもり部材３０との間には第二溶接材料４０が配置される。
【００１０】
上述した構造において、第一溶接材料２０と第二溶接材料４０とを加熱し、溶解させ、溶解した第一溶接材料２０および第二溶接材料４０をおもり部材３０と格納溝１５との間に充填し、結合させることができる。上述したとおり、本考案によるゴルフクラブのおもり構造はおもり部材と木製クラブのヘッドとを簡単かつ頑丈に結合させて固定することができる。
【００１１】
（第２実施形態）
本考案によるゴルフクラブのおもり構造は木製クラブのヘッドに限定されず、鉄製グラブのヘッドにも適用できる。図５から図７に示すように、本考案の第２実施形態によるゴルフクラブのおもり構造はヘッド１０およびおもり部材３０を備える。
【００１２】
ヘッド１０は、打球面１１、本体１８、本体１８の根部に連結されるホーゼル１４、本体１８の下端をヘッド１０の内部へ凹ませて形成した格納溝１５、格納溝１５の底部に形成された凹状溝１７および凹状溝１７内に分布する第一溶接材料２０を有する。
【００１３】
おもり部材３０は、格納溝１５に配置され、比重がヘッド１０の底部の材料の比重より大きい。おもり部材３０とヘッド１０の結合強度を増大させるために、格納溝１５の開口部とおもり部材３０との間には第二溶接材料４０が配置される。
【００１４】
上述した第２実施形態の構造特徴により、本考案によるゴルフクラブのおもり構造は鉄製クラブのヘッドに適用できる。第一溶接材料２０と第二溶接材料４０とを加熱し、溶解させ、溶解した第一溶接材料２０および第二溶接材料４０をおもり部材３０と格納溝１５との間に結合させれば、おもり部材と鉄製クラブのヘッドの結合強度を増大させることができる。
【００１５】
（第３実施形態）
図８および図９に示すように、本考案の第３実施形態によるゴルフクラブのおもり構造は木製クラブのヘッドに適用される。上述した実施形態との違いは次の通りである。格納溝１５はヘッド１０の外側が凹んで形成されるのではなく、ヘッドの内側に形成されるため、格納溝の配置は外観から見ても見付けられない。第３実施形態は木製クラブのヘッドに限定されず、鉄製グラブのヘッドにも適用できる。
【００１６】
本実施形態において、格納溝１５は底部に形成された凹状溝１７と、凹状溝１７内に分布する第一溶接材料２０とを有する。凹状溝１７は格納溝１５の両側に配置されるか、格納溝１５の底部に環状に配置される。  
【００１７】
おもり部材３０は、格納溝１５内に配置される。おもり部材３０とヘッド１０の結合強度を増大させるために、格納溝１５の開口部とおもり部材３０との間には第二溶接材料４０が配置される。
【符号の説明】
【００１８】
１０  ヘッド
１１  打球面
１２  頂部
１３  底部
１４  ホーゼル
１５  格納溝
１７  凹状溝
１８  本体
２０  第一溶接材料
３０  おもり部材
４０  第二溶接材料
【図１】
0003217472.tif 000003
【図２】
0003217472.tif 000004
【図３】
0003217472.tif 000005
【図４】
0003217472.tif 000006
【図５】
0003217472.tif 000007
【図６】
0003217472.tif 000008
【図７】
0003217472.tif 000009
【図８】
0003217472.tif 000010
【図９】
0003217472.tif 000011